(57)【要約】【課題】搬送中の記録媒体を正確に検出し、ひいては画像形成タイミングの精度を向上させることが可能な画像形成装置およびタイミング調整方法を提供する。【解決手段】画像形成装置は、搬送経路を搬送される記録媒体に画像を形成する画像形成部と、搬送経路における記録媒体の搬送方向において画像形成部よりも上流側に配置され、記録媒体を検出するスポットのカラーセンサーと、カラーセンサーの検出結果に基づいて、画像形成部における画像形成タイミングを調整するタイミング調整部と、を備える。【選択図】図３
2020199711.tif 000002
【特許請求の範囲】
【請求項１】
搬送経路を搬送される記録媒体に画像を形成する画像形成部と、
前記搬送経路における前記記録媒体の搬送方向において前記画像形成部よりも上流側に配置され、前記記録媒体を検出するスポットのカラーセンサーと、
前記カラーセンサーの検出結果に基づいて、前記画像形成部における画像形成タイミングを調整するタイミング調整部と、
を備える画像形成装置。
【請求項２】
前記搬送経路における前記搬送方向において前記画像形成部よりも上流側に配置され、前記記録媒体を検出する単色センサーを備え、
前記カラーセンサーは、前記搬送経路において前記単色センサーと並列に配置されており、
前記タイミング調整部は、前記単色センサーの検出結果および前記カラーセンサーの検出結果に基づいて、前記画像形成タイミングを調整する、
請求項１に記載の画像形成装置。
【請求項３】
前記タイミング調整部は、
前記単色センサーによって前記記録媒体が検出された場合、前記単色センサーの検出タイミングから前記画像形成タイミングを決定し、
前記単色センサーによって前記記録媒体が検出されず、かつ、前記カラーセンサーによって前記記録媒体が検出された場合、前記カラーセンサーの検出タイミングから前記画像形成タイミングを決定する、
請求項２に記載の画像形成装置。
【請求項４】
前記タイミング調整部は、前記単色センサーおよび前記カラーセンサーのうち、先に前記記録媒体を検出した方の検出信号を取得し、前記検出信号を前記記録媒体の搬送時間保持する、
請求項２または請求項３に記載の画像形成装置。
【請求項５】
前記タイミング調整部は、前記検出信号を取得した取得タイミングを基準に前記画像形成タイミングを調整する、
請求項４に記載の画像形成装置。
【請求項６】
前記タイミング調整部は、前記カラーセンサーに基づく検出信号を取得した場合、前記単色センサーに基づく検出信号を取得した場合よりも、前記取得タイミングから前記画像形成タイミングまでの遅れ量を減らす、
請求項５に記載の画像形成装置。
【請求項７】
前記タイミング調整部によって前記検出信号が取得されない場合、前記記録媒体の搬送速度を画像形成時の速度より低速にして、前記単色センサーおよび前記カラーセンサーの光量の検出閾値を決定する閾値決定部を備える、
請求項５または請求項６に記載の画像形成装置。
【請求項８】
前記閾値決定部は、
前記単色センサーおよび前記カラーセンサーの前記光量を複数段階に異ならせて、前記搬送経路を構成する搬送部材からの第１反射光に対応する出力値を測定し、
前記単色センサーおよび前記カラーセンサーの前記光量を複数段階に異ならせて、前記記録媒体からの第２反射光に対応する出力値を測定し、
これらの測定結果に基づいて、前記単色センサーおよび前記カラーセンサーの光量および前記検出閾値を決定する、
請求項７に記載の画像形成装置。
【請求項９】
前記閾値決定部は、前記第１反射光に対応する第１出力値が、前記第２反射光に対応する第２出力値よりも小さい場合、前記第１出力値と、前記第２出力値との差分が最も大きいときの光量を、前記記録媒体の検出に用いる光量に決定し、前記第１出力値と、前記第２出力値との間の値を前記検出閾値に決定する、
請求項８に記載の画像形成装置。
【請求項１０】
前記閾値決定部は、前記第１反射光に対応する第１出力値が、前記第２反射光に対応する第２出力値よりも大きい場合、前記第１出力値と、前記第２出力値との差分が最も大きいときの光量を、前記記録媒体の検出に用いる光量に決定し、前記第１出力値と、前記第２出力値との間の値を前記検出閾値に決定する、
請求項８または請求項９に記載の画像形成装置。
【請求項１１】
前記カラーセンサーは、複数の受光部を含む反射型センサーである、
請求項１〜１０の何れか１項に記載の画像形成装置。
【請求項１２】
搬送経路を搬送される記録媒体に画像を形成する画像形成部と、前記搬送経路における前記記録媒体の搬送方向において前記画像形成部よりも上流側に配置されるスポットのカラーセンサーと、を備える画像形成装置のタイミング調整方法であって、
前記カラーセンサーにより前記記録媒体を検出し、
前記カラーセンサーの検出結果に基づいて、前記画像形成部における画像形成タイミングを調整するタイミング調整方法。
【発明の詳細な説明】
【技術分野】
【０００１】
本発明は、画像形成装置およびタイミング調整方法に関する。
【背景技術】
【０００２】
従来、画像形成部に向けて搬送される記録媒体の検出タイミングに基づいて、画像形成部における画像形成タイミングを決定する画像形成装置が知られている。このような画像形成装置では、記録媒体の搬送経路においてセンサーを設け、センサーの検出タイミングと、センサーの位置とに基づいて画像形成タイミングが決定される。
【０００３】
例えば、特許文献１には、透過型のセンサーと、反射型のセンサーとの２種類のセンサーを用いて記録媒体を検出する構成が開示されている。
【先行技術文献】
【特許文献】
【０００４】
【特許文献１】特開２００７−２９０１６８号公報
【発明の概要】
【発明が解決しようとする課題】
【０００５】
しかしながら、反射型のセンサーは、検出できる紙種、色に限界があるので、記録媒体によっては検出できないものが存在するおそれがある。また、透過型のセンサーは、取付位置に制約があるので、当該取付位置と、画像形成位置との距離が長くなり、画像形成タイミングの精度が悪化するおそれがある。すなわち、特許文献１に記載の構成では、記録媒体を検出して画像形成タイミングを決定する構成として改善の余地があった。
【０００６】
本発明の目的は、搬送中の記録媒体を正確に検出し、ひいては画像形成タイミングの精度を向上させることが可能な画像形成装置およびタイミング調整方法を提供することである。
【課題を解決するための手段】
【０００７】
本発明に係る画像形成装置は、
搬送経路を搬送される記録媒体に画像を形成する画像形成部と、
前記搬送経路における前記記録媒体の搬送方向において前記画像形成部よりも上流側に配置され、前記記録媒体を検出するスポットのカラーセンサーと、
前記カラーセンサーの検出結果に基づいて、前記画像形成部における画像形成タイミングを調整するタイミング調整部と、
を備える。
【０００８】
本発明に係るタイミング調整方法は、
搬送経路を搬送される記録媒体に画像を形成する画像形成部と、前記搬送経路における前記記録媒体の搬送方向において前記画像形成部よりも上流側に配置されるスポットのカラーセンサーと、を備える画像形成装置のタイミング調整方法であって、
前記カラーセンサーにより前記記録媒体を検出し、
前記カラーセンサーの検出結果に基づいて、前記画像形成部における画像形成タイミングを調整する。
【発明の効果】
【０００９】
本発明によれば、搬送中の記録媒体を正確に検出し、ひいては画像形成タイミングの精度を向上させることができる。
【図面の簡単な説明】
【００１０】
【図１】本発明の実施の形態に係る画像形成装置の概略構成を示す図である。
【図２】搬送ベルトを上から見た図である。
【図３】画像形成装置の主要な機能構成を示すブロック図である。
【図４】タイミング調整部、判別部、単色センサーおよびカラーセンサーの関係を簡易的に示す図である。
【図５】単色センサーおよびカラーセンサーの検出信号を示すタイムチャートである。
【図６】センサーの出力値の範囲と検出閾値との関係を示す図である。
【図７】センサーの光量を複数段階に異ならせて出力値を測定する様子を説明するための図である。
【図８】センサーの出力値の範囲と検出閾値との関係を示す図である。
【図９】タイミング調整部における画像形成タイミングの調整制御を実行するときの動作例の一例を示すフローチャートである。
【発明を実施するための形態】
【００１１】
以下、本発明の実施の形態を図面に基づいて詳細に説明する。図１は、本発明の実施の形態に係る画像形成装置１の概略構成を示す図である。
【００１２】
図１に示すように、画像形成装置１は、インクジェット方式の画像形成装置であり、ベルト搬送装置２、記録ヘッド３、単色センサー４およびカラーセンサー５等を備えている。
【００１３】
ベルト搬送装置２には、所定の間隔をおいて平行に配置された駆動ローラー２１および従動ローラー２２に亘って所定幅の無端状の搬送ベルト２３が張架されている。駆動ローラー２１および従動ローラー２２に架け渡された搬送ベルト２３の上面は、記録媒体Ｐを密着させて載置する載置面とされている。搬送ベルト２３は、本発明の「搬送部材」に対応する。
【００１４】
なお、搬送ベルト２３の表面には、搬送中の記録媒体Ｐを搬送ベルト２３の上面に密着させるために、地張りと呼ばれる粘着剤が塗布されている。また、駆動ローラー２１は、図示しない副走査モーターによって駆動される。
【００１５】
ベルト搬送装置２では、駆動ローラー２１が副走査モーターの回転駆動によって、図１中の反時計方向（矢印を参照）に所定速度で回転することにより、従動ローラー２２との間に架け渡された搬送ベルト２３を回転移動させる。かかる動作により、搬送ベルト２３の上面に載置されている記録媒体Ｐは、副走査方向である図中の矢印Ａ方向の搬送方向に向けて搬送される。
【００１６】
記録媒体Ｐには、例えば、紙、布帛、プラスチックフィルム、ガラス板等、インクジェット記録に通常使用される記録媒体を使用することができる。記録媒体Ｐは、所定サイズに裁断されたシート状であってもよいし、ロール状に巻回された元巻から連続して繰り出される長尺状であってもよい。
【００１７】
なお、ベルト搬送装置２における記録媒体Ｐの搬送面とは反対側には、図示しないベルトクリーニング装置が設けられている。このベルトクリーニング装置によって、搬送ベルト２３に付着した異物が除去される。
【００１８】
記録ヘッド３は、複数の記録素子（インクジェットヘッド）を有しており、搬送ベルト２３上の記録媒体Ｐが載置される面の上方に所定の間隔をおいて配設されている。記録ヘッド３は、その下面に設けられた多数のノズルのインク吐出面からインク滴を吐出することにより、搬送ベルト２３の回転移動によって搬送される記録媒体Ｐ上に所望の画像を記録する。記録ヘッド３は、本発明の「画像形成部」に対応する。
【００１９】
本実施の形態では、記録ヘッド３は、搬送ベルト２３の幅方向に亘って固定状に架け渡され、連続的に搬送される記録媒体Ｐ上にインク滴を吐出することによって画像を記録するライン型の記録ヘッドが用いられる。この場合、記録時に、搬送ベルト２３は、連続的に移動（回転動作）するように、駆動ローラー２１の駆動が制御される。
【００２０】
なお、記録ヘッド３は、図示しないキャリッジに搭載されて、間欠的に搬送される記録媒体Ｐの搬送方向と直交する主査方向に往復移動するシャトル型の記録ヘッドであっても良い。この場合、記録時に、搬送ベルト２３は、待機状態と駆動状態を繰り返す間欠動作を行うように、駆動ローラー２１の駆動が制御される。
【００２１】
単色センサー４は、記録ヘッド３よりも、記録媒体Ｐの搬送方向において上流側における、搬送ベルト２３と対向する位置に配置されている。単色センサー４は、１つの受光部を含む反射型センサーであり、単色の光を受光可能に構成されている。
【００２２】
カラーセンサー５は、記録媒体Ｐを検出するスポットの反射型センサーであり、記録ヘッド３よりも、記録媒体Ｐの搬送方向において上流側における、搬送ベルト２３と対向する位置に配置されている。スポットのセンサーは、投光部と、受光部とを１つのセンサーヘッドに設けたセンサーである。また、カラーセンサー５は、複数の受光部を含んでおり、複数色の光を受光可能に構成されている。
【００２３】
そのため、カラーセンサー５では、複数の受光部による処理を行う分、１つの受光部を含む単色センサー４よりも処理時間がかかるので、カラーセンサー５の検出信号の出力タイミングは、単色センサー４の検出信号の出力タイミングよりも遅くなっている。
【００２４】
また、カラーセンサー５は、図２に示すように、記録ヘッド３と同一の搬送経路である搬送ベルト２３において単色センサー４と並列に配置されている。具体的には、カラーセンサー５は、搬送ベルト２３における搬送方向の位置が単色センサー４と同じ位置になるように配置されている。なお、カラーセンサー５の位置は、単色センサー４の位置から多少ずれていても良い。
【００２５】
図３は、画像形成装置１の主要な機能構成を示すブロック図である。画像形成装置１は、制御部１００、記録ヘッド駆動部１１０、搬送駆動部１２０、入出力インターフェース１３０、タイミング調整部１４０、判別部１５０および閾値決定部１６０を備える。
【００２６】
制御部１００は、ＣＰＵ１０１（Central Processing Unit）、ＲＡＭ１０２（Random Access Memory）、ＲＯＭ１０３（Read Only Memory）および記憶部１０４を有する。
【００２７】
ＣＰＵ１０１は、ＲＯＭ１０３に記憶された各種制御用のプログラムや設定データを読み出してＲＡＭ１０２に記憶させ、当該プログラムを実行して各種の演算処理を行う。また、ＣＰＵ１０１は、画像形成装置１の全体動作を統括的に制御する。
【００２８】
ＲＡＭ１０２は、ＣＰＵ１０１に作業用のメモリー空間を提供し、一時データを記憶する。なお、ＲＡＭ１０２は、不揮発性メモリーを含んでいても良い。
【００２９】
ＲＯＭ１０３は、ＣＰＵ１０１により実行される各種制御用のプログラムや設定データ等を格納する。なお、ＲＯＭ１０３に代えて、ＥＥＰＲＯＭ（Electrically Erasable Programmable Read Only Memory）やフラッシュメモリー等の書き換え可能な不揮発性メモリーが用いられても良い。
【００３０】
記憶部１０４には、入出力インターフェース１３０を介して外部装置６から入力されたプリントジョブ（画像記録命令）および当該プリントジョブに係る画像データが記憶される。記憶部１０４としては、例えばＨＤＤ（Hard Disk Drive）が用いられ、また、ＤＲＡＭ（Dynamic Random Access Memory）等が併用されても良い。
【００３１】
記録ヘッド駆動部１１０は、制御部１００の制御に基づいて記録ヘッド３に対して適切なタイミングで画像データに応じた駆動信号を供給することにより、記録ヘッド３のノズルから画像データの画素値に応じた量のインクを吐出させる。
【００３２】
搬送駆動部１２０は、制御部１００の制御に基づいて駆動ローラー２１の副走査モーターに駆動信号を供給することにより、搬送ベルト２３を所定の速度およびタイミングで回転移動させる。
【００３３】
入出力インターフェース１３０は、外部装置６と制御部１００との間におけるデータの送受信を媒介する。入出力インターフェース１３０は、例えば各種シリアルインターフェース、各種パラレルインターフェースの何れか、または、これらの組み合わせで構成される。
【００３４】
外部装置６は、例えばパーソナルコンピューターであり、入出力インターフェース１３０を介して画像記録命令（プリントジョブ）および画像データ等を制御部１００に供給する。
【００３５】
タイミング調整部１４０は、カラーセンサー５の検出結果に基づいて記録ヘッド３における画像形成タイミングを調整する。具体的には、タイミング調整部１４０は、単色センサー４の検出結果およびカラーセンサー５の検出結果に基づいて、画像形成タイミングを調整する。
【００３６】
図４に示すように、タイミング調整部１４０は、単色センサー４の検出信号およびカラーセンサー５の検出信号を、ＯＲ回路７を介して取得する。そのため、タイミング調整部１４０は、単色センサー４およびカラーセンサー５のうち、先に記録媒体Ｐを検出した方の検出信号を取得して、その検出信号を記録媒体Ｐの搬送時間保持する。
【００３７】
タイミング調整部１４０は、検出信号を取得後、判別部１５０の判別結果に基づいて、当該検出信号が、単色センサー４およびカラーセンサー５の何れかであるかを判定する。
【００３８】
判別部１５０は、単色センサー４およびカラーセンサー５の検出信号を取得して、その検出信号が、単色センサー４の検出信号またはカラーセンサー５の検出信号であるか否かを判別する。判別部１５０は、検出信号の判別結果をタイミング調整部１４０に出力する。
【００３９】
判別部１５０による検出信号の判別方法は、２つの検出信号毎にインターフェースを設ける等、どのような方法でも良い。また、タイミング調整部１４０に出力される検出信号の判別結果は、２つの検出信号をタイミング調整部１４０が区別できる限り、どのようなものであっても良い。
【００４０】
そして、タイミング調整部１４０は、取得した検出信号の取得タイミングを基準に、判別部１５０の判別結果に基づくセンサーに対応する画像形成タイミングになるように調整する。
【００４１】
単色センサー４とカラーセンサー５とは、記録媒体Ｐからの反射光を取得してからの処理時間に差異がある。そのため、検出信号を取得した後、同じタイミングで画像形成を行うと、画像形成タイミングがずれてしまう可能性がある。
【００４２】
特に、図５に示すように、カラーセンサー５は、複数の色に対応する反射光を取得する都合上、単色センサー４と比較して、処理時間が遅くなる。具体的には、時間Ｔ１で記録媒体Ｐがセンサーの位置に到達した場合、時間Ｔ２で単色センサー４が検出信号を出力するのに対し、時間Ｔ２より遅い時間Ｔ３でカラーセンサー５が検出信号を出力する。
【００４３】
つまり、検出信号を出力してから、記録媒体Ｐが画像形成位置に到達する時間Ｔ４までの遅れ時間が、カラーセンサー５の方が短くなってしまう。そのため、タイミング調整部１４０が検出信号を取得してから、２つのセンサーにおいて同じ遅れ時間とした画像形成タイミングとすると、何れかのセンサーにおいて、記録媒体Ｐにおける所望の画像形成位置と異なる位置で画像形成が行われてしまうこととなる。
【００４４】
しかし、本実施の形態では、タイミング調整部１４０が判別部１５０の判別結果に基づくセンサーに対応する画像形成タイミングになるように調整する。
【００４５】
具体的には、単色センサー４で記録媒体Ｐを検出できた場合、カラーセンサー５よりも先に単色センサー４が検出信号を出力する。タイミング調整部１４０は、当該検出信号を取得し、判別部１５０から、単色センサー４の検出信号であることを示す信号を取得する。
【００４６】
そして、タイミング調整部１４０は、単色センサー４に対応するタイミングに画像形成タイミングを調整する。言い換えると、タイミング調整部１４０は、単色センサー４によって記録媒体Ｐが検出された場合、単色センサー４の検出タイミングから画像形成タイミングを決定する。
【００４７】
また、色紙等の記録媒体Ｐである場合、単色センサー４では検出できずにカラーセンサー５のみで検出される。この場合、単色センサー４のタイミングより遅れてカラーセンサー５は、検出信号を出力する。タイミング調整部１４０は、当該検出信号を取得し、判別部１５０から、単色センサー４の検出信号を示す信号を取得せず、カラーセンサー５の検出信号を示す信号のみを取得する。
【００４８】
そして、タイミング調整部１４０は、カラーセンサー５に対応するタイミングに画像形成タイミングを調整する。言い換えると、タイミング調整部１４０は、単色センサー４によって記録媒体Ｐが検出されず、かつ、カラーセンサー５によって記録媒体Ｐが検出された場合、カラーセンサー５の検出タイミングから画像形成タイミングを決定する。
【００４９】
カラーセンサー５は、単色センサー４よりも処理時間が長く、カラーセンサー５が検出信号を出力してから、画像形成位置まで記録媒体Ｐが到達する時間は、単色センサー４よりも短くなる。
【００５０】
すなわち、カラーセンサー５の検出信号の検出タイミングから画像形成タイミングまでの遅れ時間は、単色センサー４の検出信号の検出タイミングから画像形成タイミングまでの遅れ時間よりも短い。言い換えると、タイミング調整部１４０は、カラーセンサー５に基づく検出信号を取得した場合、単色センサー４に基づく検出信号を取得した場合よりも、取得タイミングから画像形成タイミングまでの遅れ量を減らす。
【００５１】
このように、本実施の形態では、各センサーに対応した画像形成タイミングとすることができるので、あらゆる種類の記録媒体Ｐであっても確実に記録媒体Ｐを検出することができ、かつ、その記録媒体Ｐの画像形成タイミングを適切なものとすることができる。
【００５２】
なお、各センサーに対応する画像形成タイミングは、センサー毎に予め測定されたタイミングに基づいて決定されても良い。
【００５３】
また、図３に示すように、閾値決定部１６０は、タイミング調整部１４０によって検出信号が取得されない場合、記録媒体Ｐの搬送速度を画像形成時の速度より低速にして、単色センサー４およびカラーセンサー５の検出閾値を決定する。
【００５４】
単色センサー４およびカラーセンサー５のそれぞれには、検出閾値が設定されている。記録媒体Ｐから取得した反射光に対応する出力値が、検出閾値を超える場合、そのセンサーが記録媒体Ｐを検出したことを示す。当該出力値が検出閾値以下となる場合、そのセンサーが記録媒体Ｐを検出していないことを示す。
【００５５】
図６に示すように、検出閾値は、センサーによって、記録媒体Ｐが配置されていない搬送ベルト２３からの第１反射光に対応する第１出力値よりも大きな値になるように設定されている。また、検出閾値は、センサーによって、記録媒体Ｐからの第２反射光に対応する第２出力値よりも小さい値になるように設定されている。
【００５６】
なお、第１出力値および第２出力値は、センサーの出力バラツキに起因して、所定幅の範囲をもっているため、検出閾値は、第１出力値の最大値より大きく、かつ、第２出力値の最小値よりも小さくなるように設定される。
【００５７】
しかし、記録媒体Ｐからの反射光に対応する出力値が比較的小さくなるような記録媒体Ｐであると、当該出力値が検出閾値を下回る場合がある。つまり、センサーによって記録媒体Ｐを検出できないので、タイミング調整部１４０が検出信号を取得しないこととなる。
【００５８】
この場合、閾値決定部１６０は、搬送ベルト２３における記録媒体Ｐの搬送速度を低速にして、センサーの光量を複数段階に異ならせて、段階毎に反射光に対応する出力値を測定する。例えば、図７に示すように、センサーの光量を５段階にする場合、記録媒体Ｐを搬送方向において５つの領域に分けて、領域毎に光量を異ならせる。
【００５９】
閾値決定部１６０は、記録媒体Ｐの搬送方向の下流側から第１領域、第２領域、第３領域、第４領域、第５領域と反射光の測定領域を設定して、各領域において光量を異ならせる。光量は、第１領域が最も高く、搬送方向の上流側に向かうにつれ低くなるように、各領域で設定される。
【００６０】
第１領域での光量の設定量は、第１光量とし、第２領域での光量の設定量は、第２光量とする。第３領域での光量の設定量は、第３光量とし、第４領域での光量の設定量は、第４光量とする。第５領域での光量の設定量は、第５光量とする。
【００６１】
また、閾値決定部１６０は、搬送ベルト２３からの反射光に対しても同様に、センサーの光量を複数段階に異ならせて、段階毎に反射光に対応する出力値を測定する。上記のように、センサーの光量を５段階にする場合、搬送ベルト２３を、記録媒体Ｐの第１領域、第２領域、第３領域、第４領域および第５領域のそれぞれと同じ光量による、反射光の出力値をそれぞれ測定する。
【００６２】
閾値決定部１６０は、複数段階に設定した光量のうち、搬送ベルト２３からの第１反射光に対応する第１出力値の最大値（以下、第１値）と、記録媒体Ｐからの第２反射光に対応する第２出力値の最小値（以下、第２値）との差分が最大となる光量を、記録媒体Ｐの検出に用いる光量とする。そして、閾値決定部１６０は、第１値と、第２値との間の値（第１値と第２値との中間値等）を検出閾値として決定する。
【００６３】
例えば、第１値と第２値との差分が最大となる領域が、記録媒体Ｐの第３領域である場合、閾値決定部１６０は、記録媒体Ｐの検出に用いる光量を、第３領域に対応する第３光量とする。そして、閾値決定部１６０は、第３光量の時の第１値と第２値との間の値を検出閾値として決定する。
【００６４】
このようにすることで、正確な検出閾値の元、記録媒体Ｐを検出することができるので、その記録媒体Ｐの画像形成タイミングを正確なものとすることができる。
【００６５】
また、画像形成時よりも低速にして測定を行うので、各領域における出力値をより多く取得することができるので、センサーの出力値のバラツキを考慮した検出閾値とすることができる。
【００６６】
ところで、光沢のない黒色の記録媒体Ｐであると、図８に示すように、記録媒体Ｐの第２反射光に対応する第２出力値が搬送ベルト２３の第１反射光に対応する第１出力値よりも小さくなる場合がある。この場合、閾値決定部１６０は、複数段階に設定した光量のうち、搬送ベルト２３からの第１反射光に対応する第１出力値の最小値（以下、第３値）と、記録媒体Ｐからの第２反射光に対応する第２出力値の最大値（以下、第４値）との差分が最大となる光量を、記録媒体Ｐの検出に用いる光量とする。そして、閾値決定部１６０は、第３値と、第４値との間の値（第３値と第４値との中間値等）を検出閾値とする。
【００６７】
なお、この場合、記録媒体Ｐの反射光に対応する出力値が検出閾値を下回った場合、記録媒体Ｐの検出を示す検出信号となる。
【００６８】
このようにしても、正確な検出閾値の元、記録媒体Ｐを検出することができるので、その記録媒体Ｐの画像形成タイミングを正確なものとすることができる。
【００６９】
なお、閾値決定部１６０による閾値決定制御は、タイミング調整部１４０によって検出信号が取得されない場合、自動で実行されても良いし、ユーザーの指令に基づいて実行されても良い。また、閾値決定部１６０における閾値決定制御は、単色センサー４およびカラーセンサー５の両方で別途実行される。
【００７０】
次に、タイミング調整部１４０における画像形成タイミングの調整制御を実行するときの動作例について説明する。図９は、タイミング調整部１４０における画像形成タイミングの調整制御を実行するときの動作例の一例を示すフローチャートである。図９における処理は、制御部１００がプリントジョブの実行指令を受け付けた際に適宜実行される。
【００７１】
図９に示すように、タイミング調整部１４０は、センサーからの検出信号を取得する（ステップＳ１０１）。タイミング調整部１４０は、取得した検出信号がカラーセンサー５のものであるか否かについて判定する（ステップＳ１０２）。
【００７２】
判定の結果、検出信号がカラーセンサー５のものである場合（ステップＳ１０２、ＹＥＳ）、タイミング調整部１４０は、カラーセンサー５の画像形成タイミングに決定する（ステップＳ１０３）。一方、検出信号が単色センサー４のものである場合（ステップＳ１０２、ＮＯ）、タイミング調整部１４０は、単色センサー４の画像形成タイミングに決定する（ステップＳ１０４）。ステップＳ１０３またはステップＳ１０４の後、本制御は終了する。
【００７３】
以上のように構成された本実施の形態によれば、単色センサー４およびカラーセンサー５からの検出信号の有無に応じて、画像形成タイミングを調整するので、搬送中の記録媒体Ｐを正確に検出し、ひいては画像形成タイミングの精度を向上させることができる。
【００７４】
また、カラーセンサー５が単色センサー４と並列に配置されているので、それぞれが別の箇所に配置される構成と比較して、センサーの配置スペースを確保しやすくすることができ、ひいてはセンサーの取付性の向上を図ることができる。
【００７５】
また、カラーセンサー５が単色センサー４と並列に配置されているので、センサーによる検出位置から、画像形成位置までの距離を各センサーにおいて略等しくすることができる。その結果、各センサーに対応する画像形成タイミング（遅れ時間）を調節しやすくすることができる。
【００７６】
また、カラーセンサー５が反射型センサーであるので、透過型センサーを有する構成と比較して、画像形成位置にセンサーをより近づけて配置することができる。その結果、画像形成タイミングを調節しやすくなり、ひいては画像形成タイミングの精度を向上させることができる。
【００７７】
また、透過型センサーの場合、投光部と受光部とが分離しているため、記録ヘッド３と同じ搬送経路（搬送ベルト２３）に配置することが困難である。そのため、透過型センサーによって色紙等の記録媒体を検出する構成の場合、記録媒体を受け渡すときの位置ずれ量や、画像形成位置との距離が長くなることによる搬送精度による位置ずれ量等の誤差成分を持ってしまい、ひいては画像形成タイミングの精度が悪化するおそれがある。
【００７８】
それに対し、本実施の形態では、スポットのカラーセンサー５は、投光部と受光部とが一つのセンサーヘッドに設けられているので、記録ヘッド３と同じ搬送経路に配置することができる。その結果、透過型センサーを有する構成と比較して、取付位置の制約がないので、センサーの取付性を向上しつつ、単色センサー４では検出できない紙種、紙色の記録媒体を精度良く検出することができる。
【００７９】
また、記録媒体Ｐを検出するスポットのカラーセンサー５を用いるので、記録媒体Ｐにおける所定の一点（投光部によって投光された点）からの反射光を受光するのみの構成とすることができる。そのため、例えば、ＣＩＳ（Contact Image Sensor）等、読み取った画像から記録媒体Ｐの先端を検出する構成と比較して、処理時間を短くすることができるので、画像形成位置にセンサーをより近づけて配置することができる。
【００８０】
また、タイミング調整部１４０が単色センサー４およびカラーセンサー５のうち、先に記録媒体Ｐを検出した方の検出信号を取得するので、各センサーの検出信号の二重検出を抑制することができる。
【００８１】
また、閾値決定部１６０によって、各センサーの検出閾値を決定するので、あらゆる種類の記録媒体Ｐを検出しやすくすることができる。
【００８２】
なお、上記実施の形態では、スポットのカラーセンサー５搬送ベルト２３上の搬送経路に配置されていたが、本発明はこれに限定されず、搬送ベルト２３以外の搬送経路上に配置されていても良い。ただし、検出位置から画像形成位置までの距離を近づける観点およびセンサーの配置スペースの観点から、カラーセンサー５が記録ヘッド３と同一の搬送経路上に配置されていることが好ましい。
【００８３】
また、上記実施の形態では、単色センサー４が反射型センサーであったが、本発明はこれに限定されず、透過型センサー等であっても良い。
【００８４】
また、上記実施の形態では、搬送部材として搬送ベルト２３を例示したが、本発明はこれに限定されず、搬送ベルト以外の搬送部材であっても良い。
【００８５】
また、上記実施の形態では、画像形成装置としてインクジェット方式の画像形成装置１が例示されたが、本発明はこれに限定されず、レーザー方式の画像形成装置等、その他の画像形成装置であっても良い。
【００８６】
その他、上記実施の形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００８７】
１  画像形成装置
２  ベルト搬送装置
３  記録ヘッド
４  単色センサー
５  カラーセンサー
６  外部装置
７  ＯＲ回路
２１  駆動ローラー
２２  従動ローラー
２３  搬送ベルト
１００  制御部
１１０  記録ヘッド駆動部
１２０  搬送駆動部
１３０  入出力インターフェース
１４０  タイミング調整部
１５０  判別部
１６０  閾値決定部
【図１】
2020199711.tif 000003
【図２】
2020199711.tif 000004
【図３】
2020199711.tif 000005
【図４】
2020199711.tif 000006
【図５】
2020199711.tif 000007
【図６】
2020199711.tif 000008
【図７】
2020199711.tif 000009
【図８】
2020199711.tif 000010
【図９】
2020199711.tif 000011